(57)【要約】【課題】単信無線端末と該単信無線端末と異なる周波数を使用する他の単信無線端末との無線通信を中継する単信無線中継装置において、移動可能な単信無線端末が、見通しが利かない他の移動可能な単信無線端末に対し同報通信を行うことで無線通信の多段中継を可能とする単信無線中継装置と単信無線端末を提供することを目的とする。【解決手段】一の単信無線端末からの無線信号を受信した時、任意に設定した時間の間に周波数の使用状況を監視する手段と、該周波数の使用状況の監視結果により、無線信号を送信する周波数を決定する手段と、該決定した送信する周波数で、該受信した無線信号を送信する手段とを備える。【選択図】        図１
2004282642.tif 000002
【特許請求の範囲】
【請求項１】
単信方式の無線端末と該単信方式の無線端末と異なる周波数を使用する他の単信方式の無線端末との無線通信を中継する単信方式の無線中継装置において、
一の単信方式の無線端末からの無線信号を受信した時、任意に設定した時間の間に周波数の使用状況を監視する手段と、
該周波数の使用状況の監視結果により、無線信号を送信する周波数を決定する手段と、
該決定した送信する周波数で、該受信した無線信号を送信する手段と、
を備えることを特徴とする単信無線中継装置。
【請求項２】
請求項１に記載の単信無線中継装置が備える手段を併せ持つ単信方式の無線端末であって、
任意の時間毎にスキャンする周波数の無線信号を受信する手段と、
該受信した無線信号の受信データと周波数について外部とインタフェースするためのターミナルと、
を備えることを特徴とする単信無線端末。
【請求項３】
請求項２に記載の単信無線端末を２台用い、それぞれの該単信無線端末が備えるターミナルをケーブル等によって接続することで、請求項１に記載の単信無線中継装置を構成することを特徴とする単信無線中継装置。
【発明の詳細な説明】
【０００１】
【発明の属する技術分野】
本発明は、単信方式の無線端末（以降、単信無線端末と記載する）と該単信無線端末と異なる周波数を使用する他の単信無線端末との無線通信を中継する単信方式の無線中継装置（以降、単信無線中継装置と記載する）に係り、特に、移動可能な単信無線端末が、見通しが利かない他の移動可能な単信無線端末に対し、周辺の周波数の使用状況を監視し自動的に送信周波数を設定し、同報通信を行うことで無線通信の多段中継を可能とする単信無線中継装置と単信無線端末に関する。
【０００２】
【従来の技術】
一般に、単信方式の無線通信は、相対する方向で送信が交互に行われる無線通信であり、通信相手の呼び出しは、相手の単信無線端末の呼出名称を呼び出すことにより行われ、単信無線端末が自動車等の車内に設置されている場合、使用可能な範囲は、単信無線端末のスピーカから流れる音声の可聴範囲に留まっていた。そのため、単信無線端末の使用可能範囲を拡大するために単信方式の無線通信を中継することが考えられている（例えば、特許文献１参照）。
【０００３】
図８は、従来技術を説明する単信無線中継装置であり、単信無線端末３１０と単信無線端末４１０の無線通信を単信無線中継装置１１０が中継し、単信無線端末５１０と単信無線端末６１０の無線通信を単信無線中継装置２１０が中継していることを示している。
単信無線端末３１０は、空中線３１１、空中線切替器３１２、受信部３１３、制御部３１４、スピーカ３１５、マイク３１６、プレススイッチ３１７、送信部３１８を備えている。単信無線端末４１０，５１０，６１０は、該単信無線端末３１０と同様な構成である。
【０００４】
単信無線中継装置１１０は、空中線１１１，１１２、空中線切替器１１３、１１４、送信増幅器１１５，１１７、受信増幅器１１６，１１８、送信用スイッチ１１９、受信用スイッチ１２０、送信部１２１、受信部１２２、制御部１２３を備えている。単信無線中継装置２１０は、該単信無線中継装置１１０と同様な構成である。
【０００５】
単信無線端末３１０が単信無線端末４１０に向けて送信する場合、プレススイッチ３１７を押下すると、制御部３１４の制御によって空中線切替器３１２は送信部３１８と空中線３１１を接続し、マイク３１６が発生する音声信号は送信部３１８に伝達され、該送信部３１８にて変調され該空中線切替器３１２、空中線３１１を介して送信される。ここで、該送信される無線信号ｗ２１は周波数ｆ１を用いるとする。
【０００６】
単信無線中継装置１１０は、前記無線信号ｗ２１を受信する場合、空中線１１１、空中線切替器１１３、受信増幅器１１８、受信用スイッチ１２０を介し、受信部１２２で復調され制御部１２３を介して送信部１２１に伝達され、該送信部１２１にて変調され、送信用スイッチ１１９、送信増幅器１１５、空中線切替器１１４、空中線１１２を介して送信することで、前記単信無線端末３１０からの信号ｗ２１を中継する。ここで、該中継送信される無線信号ｗ３２は、周波数ｆ１以外の周波数を使用することになり、周波数ｆ２を用いるとする。
【０００７】
上記のように、単信無線端末３１０が送信する無線信号ｗ２１は単信無線中継装置１１０を中継し、無線信号ｗ３２として周波数ｆ２を用いて単信無線端末４１０へ伝送される。また、単信無線端末４１０が応答する無線信号ｗ３１は、周波数ｆ２を用いて、単信無線中継装置１１０にて、空中線１１２、空中線切替器１１４、受信増幅器１１６、受信用スイッチ１２０、受信部１２２、制御部１２３、送信部１２１、送信用スイッチ１１９、送信増幅器１１７、空中線切替器１１３、空中線１１１を介して、無線信号ｗ２２として周波数ｆ１を用いて中継され、単信無線端末３１０にて受信され、空中線３１１、空中線切替器３１２を介して受信部３１３で復調され、スピーカ３１５に伝達される。なお、制御部３１４は、送信部３１８、受信部３１３の変復調の制御等も行う。
【０００８】
同様に、単信無線端末５１０と単信無線端末６１０の無線通信は、単信無線中継装置２１０によって中継することができる。
【０００９】
【特許文献１】
特開２０００−２３６２８１号公報「単信式無線通信装置」
【００１０】
【発明が解決しようとする課題】
以上記載したように、単信無線端末間で無線通信する場合、両単信無線端末が非常に離れている場合や、両単信無線端末の間に無線通信を妨げる建造物等の障害物が存在する場合に、単信無線中継装置を用いることは有効である。
単信無線中継装置において使用する受信周波数と送信周波数は同一とすることができないため、異なる周波数を使用する制約条件が存在する。そのために、図８を例にすると、単信無線端末３１０と単信無線中継装置１１０間は周波数ｆ１、単信無線端末４１０と単信無線中継装置１１０間は周波数ｆ２を用い、単信無線端末５１０と単信無線中継装置２１０間は周波数ｆ３、単信無線端末６１０と単信無線中継装置２１０間は周波数ｆ４を用いる、というように予め使用する周波数を管理することが必要となる。また、単信無線端末３１０と単信無線端末６１０の無線通信を実現するためには、単信無線中継装置１１０の送信周波数と単信無線中継装置２１０の受信周波数を同じ周波数にする等の周波数管理が必要となる。このように前記の周波数管理は、容易に無線通信エリアを拡大することの妨げになっている。
【００１１】
本発明は、単信無線端末と該単信無線端末と異なる周波数を使用する他の単信無線端末との無線通信を中継する単信無線中継装置において、移動可能な単信無線端末が、見通しが利かない他の移動可能な単信無線端末に対し同報通信を行うことで、無線通信の多段中継を可能とする単信無線中継装置と単信無線端末を提供することを目的とする。
【００１２】
【課題を解決するための手段】
第一の発明は、単信無線端末と該単信無線端末と異なる周波数を使用する他の単信無線端末との無線通信を中継する単信無線中継装置において、
一の単信無線端末からの無線信号を受信した時、任意に設定した時間の間に周波数の使用状況を監視する手段と、該周波数の使用状況の監視結果により、無線信号を送信する周波数を決定する手段と、該決定した送信する周波数で、該受信した無線信号を送信する手段とを備えることを特徴とする単信無線中継装置である。
【００１３】
第一の発明によれば、無線通信中継網を構成する各々の単信無線中継装置が周辺の周波数の使用状況を監視し自動的に送信周波数を設定することによって、単信無線端末と該単信無線端末と異なる周波数を使用する他の単信無線端末との無線通信を中継する単信無線中継装置において、移動可能な単信無線端末が、見通しが利かない他の移動可能な単信無線端末に対し同報通信を行うことで無線通信の多段中継が可能となる。
【００１４】
第二の発明は、第一の発明に記載の単信無線中継装置が備える手段を併せ持つ単信無線端末であって、任意の時間毎にスキャンする周波数の無線信号を受信する手段と、該受信した無線信号の受信データと周波数について外部とインタフェースするためのターミナルとを備えることを特徴とする単信無線端末である。
第二の発明によれば、受信周波数を受信する無線信号の周波数に自動的に設定することが可能となる。
【００１５】
第三の発明は、第二の発明に記載の単信無線端末を２台用い、それぞれの該単信無線端末が備えるターミナルをケーブル等によって接続することで、第一の発明に記載の単信無線中継装置を構成することを特徴とする単信無線中継装置である。
第三の発明によれば、２台の単信無線端末を接続することで単信無線中継装置を構成することができ、容易に無線通信エリアを拡大することが可能となる。
【００１６】
【発明の実施の形態】
以降、図面を併用して本発明の詳細を説明する。
図１は、単信無線中継装置の構成図（１）であり、単信無線中継装置１が、単信無線端末２が送信する無線信号を単信無線端末３へ中継することを示しており、該単信無線中継装置１は受信部１０と送信部２０から構成する。
【００１７】
受信部１０は、空中線１１、復調部１２、スキャン制御部１３、送信ウェイト生成部１４、シンセサイザ部１５から構成する。
送信部２０は、空中線２１、変調部２２、シンセサイザ部２３から構成する。
図２は、スキャン制御部と送信ウェイト生成部の構成図であり、前記スキャン制御部１３と送信ウェイト部１４の構成を示しており、スキャン制御部１３は、周波数切換え判定部１３１、送信ウェイトタイマ部１３２から構成し、送信ウェイト生成部１４は、乱数発生部１４１、タイマ参照部１４２、タイマテーブル１４３から構成する。
【００１８】
図３は、単信無線中継装置の動作シーケンスである。
第一の発明である単信無線中継装置について、図１、図２に示す単信無線中継装置１の機能動作を図３に基づいて説明する。ここで、（  ）付小文字英字は図３の信号名を表す。
単信無線端末２が送信する無線信号は空中線１１を介して復調部１２で受信され、復調部１２は、該無線信号を復調し、トーンスケルチもしくはノイズスケルチ等により無線信号の受信を検出し受信検出信号（ａ）をスキャン制御部１３へ送出すると共に、復調された受信データ（ｂ）を送信部２０の変調部２２へ送出する。ここで、単信無線端末２が送信する無線信号は周波数ｆ１を使用しているとする。
【００１９】
スキャン制御部１３の周波数切換え判定部１３１は、該受信検出信号（ａ）を受信すると、中継送信するタイミングを発生させるためにタイマ設定信号（ｃ）を発生し、また周波数の利用状況を監視するための周波数発生を制御する周波数制御信号（ｄ）を発生する。
送信ウェイト生成部１４の乱数発生部１４１は、該タイマ設定信号（ｃ）を受信すると乱数（ｅ）を発生し、タイマ参照部１４２は該乱数（ｅ）に応じた時間情報が格納されているタイマテーブル１４３を参照し、中継送信を行うタイミング値となる送信ウェイト制御信号（ｆ）をスキャン制御部１３の送信ウェイトタイマ部１３２に送信し、該送信ウェイトタイマ部１３２は中継送信する待ち時間として設定し、該中継送信する待ち時間のカウントダウンを開始する。
【００２０】
シンセサイザ部１５は、前記周波数制御信号（ｄ）を受信すると該周波数制御信号（ｄ）に応じた周波数となる周波数設定信号（ｇ）を復調部１２に出力する。
スキャン制御部１３の周波数切換え判定部１３１は、前記周波数設定信号（ｇ）を受けた復調部１２からの受信検出信号（ａ）の有無を監視し、該受信検出信号（ａ）が無い場合は、異なる周波数の使用状況を監視するために周波数制御信号（ｄ）を発生し、該単信無線中継装置１の周辺の周波数の使用状況を監視する。
【００２１】
スキャン制御部１３の送信ウェイトタイマ部１３２は、前記の送信する待ち時間のカウントダウンが終了した時にタイマ信号（ｈ）を発生し、周波数切換え部１３１は該タイマ信号（ｈ）受信時に、前記の周波数の使用状況の監視結果から、使用されていない周波数を送信部２０のシンセサイザ部２３に通知するための送信周波数制御信号（ｉ）を発生する。そして、送信部２０の変調部２２に送信を開始するための送信制御信号（ｊ）を発生する。
【００２２】
送信部２０の変調部２２は、シンセサイザ部２３からの送信する周波数となる周波数設定信号（ｋ）と該送信制御信号（ｊ）を受信し、前記受信データ（ｂ）を変調し、受信した無線信号が使用していた周波数ｆ１とは異なる未使用の周波数で送信する。
以上記載した動作シーケンスにより、単信無線端末２が送信した周波数ｆ１の無線信号は、単信無線端末３へ異なる周波数の無線信号として中継することが可能となる。
【００２３】
図４は、単信無線端末の構成図であり、単信無線端末４は、空中線３１、空中線切替器４１、受信部３０、送信部４０、ターミナル３７から構成する。該受信部３０は、前記図１の単信無線中継装置１の受信部１０と同様な構成であり、復調部３２、スキャン制御部３３、送信ウェイト生成部３４、シンセサイザ部３５、そしてスピーカ３６から構成する。該送信部４０も、前記図１の単信無線中継装置１の送信部２０と同様な構成であり、変調部４２、シンセサイザ部４３、マイク４４から構成する。
【００２４】
図５は、単信無線端末の動作シーケンスである。
第二の発明である単信無線端末について、図４に示す単信無線端末４の機能動作を図５に基づいて説明する。ここで、（  ）付小文字英字は図５の信号名を表す。
スキャン制御部３３は、受信する無線信号の周波数を監視するための周波数発生を制御する周波数制御信号（ｍ）を発生する。
【００２５】
シンセサイザ部３５は、前記周波数制御信号（ｍ）を受信すると該周波数制御信号（ｍ）に応じた周波数となる周波数設定信号（ｎ）を復調部３２に出力する。
スキャン制御部３３は、前記周波数設定信号（ｎ）を受けた復調部３２からの受信検出信号（ｏ）の有無を監視し、該受信検出信号（ｏ）が無い場合は、異なる周波数の無線信号の受信を検出するために周波数制御信号（ｍ）を発生する。
【００２６】
スキャン制御部３３は、前記周波数設定信号（ｎ）を受けた復調部３２からの受信検出信号（ｏ）の有無を監視し、該受信検出信号（ｏ）が有った場合は、復調部３２で復調された受信データ（ｐ）をスピーカ３６に送出すると共に、受信した無線信号が使用している周波数を送信部４０に通知するための送信周波数制御信号（ｑ）をシンセサイザ部４３に送出する。
【００２７】
送信部４０の変調部４２は、シンセサイザ部４３からの送信する周波数である周波数設定信号（ｒ）を受信し、プレススイッチ（図示せず）により送信モードになった場合、マイク４４からの送信データ（ｓ）を変調し、受信した無線信号と同じ周波数で送信する。
以上記載した動作シーケンスにより、単信無線端末４の周辺の周波数の検出し受信することが可能となる。また、図４のターミナル３７において、送信周波数制御信号、送信制御信号、受信データは外部へ出力することが可能であり、該送信周波数制御信号、該送信制御信号、送信データを外部より入力することが可能である。そして、前記送信周波数制御信号（ｑ）を外部より設定することで、送信する周波数を固定周波数とすることも可能である。
【００２８】
図６は、単信無線中継装置の構成図（２）であり、単信無線端末５と単信無線端末６により単信無線中継装置７を構成している。ここで、単信無線端末５と単信無線端末６は、前記の図４の単信無線端末と同じ構成であり、動作は図１，図２，図３の説明で記載した内容と同じであるので受信部５０，７０、送信部６０，８０の詳細な説明は省略する。また、単信無線端末５，６が備えるスピーカ、マイクは図示していない。
【００２９】
単信無線端末５は、受信部５０を動作させるために空中線切替器６１を空中線５１と復調部５２を接続する設定とする。
単信無線端末６は、送信部８０を動作させるために空中線切替器８１を空中線７１と変調部８２を接続する設定とする。
空中線５１、空中線切替器６１を介して受信した無線信号は、受信部５０にて受信処理される。該受信処理内容は、図１、図２、図３の説明で記載した内容と同じであり、受信データ、送信周波数制御信号、送信制御信号はターミナル５７、接続ケーブル５８、ターミナル８４を介して送信部８０に入力される。
【００３０】
送信部８０は、前記受信部５０からの該送信周波数制御信号、送信制御信号によって、該受信データを送信処理し、空中線切替器８１、空中線７１を介して送信する。該送信処理内容も図１、図２、図３の説明で記載した内容と同じである。
ここで、空中線切替器６１、８１の設定、単信無線端末５の受信データと送信周波数制御信号と送信制御信号をターミナル５７へ出力させる設定、単信無線端末６の受信データと送信周波数制御信号と送信制御信号をターミナル８４から入力させる設定、そして、受信部５０、送信部８０それぞれを図１，図２，図３の説明で記載した単信無線中継装置の受信部、送信部として動作させる設定は、該単信無線端末５，６が備える端末モード／中継モードの切換えによって実現される。
【００３１】
次に本発明の単信無線中継装置及び単信無線端末を用いた多段中継について説明する。
図７は、単信無線中継装置の多段中継の説明図であり、単信無線中継装置１００，２００、単信無線端末３００，４００，５００，６００による多段中継網を構成しており、単信無線中継装置１００の無線通信エリア内には単信無線中継装置２００、単信無線端末３００，４００，６００が存在し、単信無線中継装置２００の無線通信エリア内には単信無線中継装置１００、単信無線端末４００，５００，６００が存在する。また、障害物Ａ、障害物Ｂはビル等の無線通信を妨げる障害物を示しており、障害物Ａによって単信無線端末３００と４００間の直接通信は妨げられ、障害物Ｂによって単信無線端末４００と５００間の直接通信も妨げられる。
【００３２】
図７に記す破線、実線の矢印は無線通信が可能な区間を表しており、ｗ付数字は無線信号を、ｆ付数字は使用する周波数を表している。
また、単信無線中継装置１００が備える図１に示す送信ウェイト生成部１４で設定する中継送信の待ち時間をＴ１、同様に単信無線中継装置２００の該中継送信の待ち時間をＴ２、Ｔ１＜Ｔ２とする。
【００３３】
単信無線端末３００は送信周波数設定をｆ１固定とし、送信周波数ｆ１で送信する時、単信無線中継装置１００は無線信号ｗ１を、単信無線端末６００は無線信号ｗ２を受信する。該無線信号は図７にて破線矢印で表している。
周波数ｆ１の無線信号ｗ１を受信した単信無線中継装置１００は、中継送信の待ち時間Ｔ１の間、図１に示すスキャン制御部１３において周波数ｆ２の使用状況を監視し、ここで周波数ｆ２の使用を確認すると周波数ｆ３を監視し、周波数ｆ２が未使用である場合は送信周波数として設定して中継送信する。ここでは、単信無線中継装置１００の周辺で周波数ｆ２は未使用であるとし、単信無線中継装置１００は送信周波数をｆ２に設定し中継送信する。
【００３４】
周波数ｆ２で中継送信された無線信号ｗ３は単信無線中継装置２００が、無線信号ｗ４は単信無線端末６００が、無線信号ｗ５は単信無線端末４００が受信する。
周波数ｆ２の無線信号ｗ３を受信した単信無線中継装置２００は、中継送信の待ち時間Ｔ２の間、スキャン制御部１３において図１に示す周波数ｆ３の使用状況を監視し、ここでは、単信無線中継装置２００の周辺で周波数ｆ３は未使用であるとし、単信無線中継装置２００は送信周波数をｆ３に設定し中継送信する。
【００３５】
周波数ｆ３で中継送信された無線信号ｗ６は単信無線中継装置５００が、無線信号ｗ７は単信無線端末６００が受信する。
以上記載したように、単信無線端末３００が送信した無線信号は、図７の破線矢印で表したように直接もしくは単信無線中継装置１００，２００を介して他のすべての単信無線端末４００，５００，６００に同報通信が可能となる。
【００３６】
なお、単信無線端末４００，６００は、単信無線中継装置１００，２００の両方の無線通信エリア内に位置するため、単信無線中継装置１００からは周波数ｆ２の前記無線信号を、単信無線中継装置２００からは周波数ｆ３の前記無線信号を受信することができるが、該単信無線端末にて受信レベルの高い無線信号を選択することが可能である。
【００３７】
次に、単信無線端末４００が送信する場合について説明する。
単信無線端末４００は送信周波数設定をｆ１固定とし、送信周波数ｆ１で送信する時、単信無線中継装置１００は無線信号ｗ１１を、単信無線端末２００は無線信号ｗ１２を、単信無線端末６００は無線信号ｗ１３を受信する。該無線信号は図７にて実線矢印で表している。
【００３８】
周波数ｆ１の無線信号ｗ１１を受信した単信無線中継装置１００は、中継送信の待ち時間Ｔ１の間、図１に示すスキャン制御部１３において周波数ｆ２の使用状況を監視し、ここで周波数ｆ２の使用を確認すると周波数ｆ３を監視し、周波数ｆ２が未使用である場合は送信周波数として設定して中継送信する。
同様に、周波数ｆ１の無線信号ｗ１２を受信した単信無線中継装置２００は、中継送信の待ち時間Ｔ２の間、図１に示すスキャン制御部１３において周波数ｆ２の使用状況を監視し、ここで周波数ｆ２の使用を確認すると周波数ｆ３を監視し、周波数ｆ２が未使用でる場合は送信周波数として設定して中継送信する。
【００３９】
ここで、Ｔ１＜Ｔ２としているので、単信無線中継装置１００は単信無線中継装置２００より先に周波数ｆ２を未使用と判定し、送信周波数を周波数ｆ２に設定し中継送信する。
単信無線中継装置２００では、中継送信の待ち時間Ｔ２の時間内に単信無線中継装置１００から周波数ｆ２の無線信号ｗ１４を受信するため、周波数ｆ２の使用を確認し、送信周波数を周波数ｆ３に設定し中継送信する。
【００４０】
よって、単信無線中継装置１００の無線通信エリア内の単信無線端末３００は、単信無線中継装置１００からの周波数ｆ２の無線信号ｗ１５を受信し、単信無線中継装置２００の通信エリア内の単信無線端末５００は、単信無線中継装置２００から周波数ｆ３の無線信号ｗ１７を受信する。
以上記載したように、単信無線端末４００が送信した無線信号は単信無線中継装置１００，２００で同時に受信されるが、該単信無線中継装置１００，２００で異なる中継送信の待ち時間を持たせることにより同一周波数での同時中継送信を回避し、図７の実線矢印で表すように直接もしくは単信無線中継装置１００，２００を介して他のすべての単信無線端末３００，５００，６００に同報通信が可能となる。
【００４１】
【発明の効果】
以上記載したように、無線通信中継網を構成する各々の単信無線中継装置が周辺の周波数の使用状況を監視し自動的に送信周波数を設定することが可能となり、
第一の発明によれば、単信無線端末と該単信無線端末と異なる周波数を使用する他の単信無線端末との無線通信を中継する単信無線中継装置において、移動可能な単信無線端末が、見通しが利かない他の移動可能な単信無線端末に対し同報通信を行うことで、無線通信の多段中継を行うことができる単信無線中継装置を提供することが可能となる。
【００４２】
第二の発明によれば、受信する無線信号の周波数を受信する無線信号の周波数に自動的に設定する単信無線端末を提供することが可能となる。
第三の発明によれば、２台の単信無線端末を接続することで単信無線中継装置を構成することができ、容易に無線通信エリアを拡大する単信無線中継装置を提供することが可能となる。
【図面の簡単な説明】
【図１】単信無線中継装置の構成図（１）
【図２】スキャン制御部と送信ウェイト生成部の構成図
【図３】単信無線中継装置の動作シーケンス
【図４】単信無線端末の構成図
【図５】単信無線端末の動作シーケンス
【図６】単信無線中継装置の構成図（２）
【図７】単信無線中継装置の多段中継の説明図
【図８】従来の技術を説明する単信無線中継装置
【符号の説明】
１、７、１００、２００、１１０、２１０            単信無線中継装置
２、３、４、５、６、３００、３１０、４００、４１０、５００、５１０、６００、６１０                                        単信無線端末
１０、３０、５０、７０、１２２、３１３                受信部
２０、４０、６０、８０、１２１、３１８                送信部
１１、２１、３１、５１、７１、１１１、１１２、３１１  空中線
１２、３２、５２、７２                                復調部
１３、３３、５３、７３                                スキャン制御部
１４、３４、５４、７４                                送信ウェイト生成部
１５、２３、３５、４３、５５、６３、７５、８３        シンセサイザ部
２２、４２、６２、８２                                変調部
４１、６１、８１、１１３、１１４、３１２              空中線切替器
３６、３１５                                          スピーカ
４４、３１６                                          マイク
３７、５７、８４                                      ターミナル
５８                                                  接続ケーブル
１３１                                              周波数切換え判定部
１３２                                              送信ウェイトタイマ部
１４１                                              乱数発生部
１４２                                              タイマ参照部
１４３                                              タイマテーブル
１１５、１１７                                      送信増幅器
１１６、１１８                                      受信増幅器
１１９                                              送信用スイッチ
１２０                                              受信用スイッチ
１２３、３１４                                      制御部
【図１】
2004282642.tif 000003
【図２】
2004282642.tif 000004
【図３】
2004282642.tif 000005
【図４】
2004282642.tif 000006
【図５】
2004282642.tif 000007
【図６】
2004282642.tif 000008
【図７】
2004282642.tif 000009
【図８】
2004282642.tif 000010